(57)【特許請求の範囲】
【請求項１】
透過部を有する第一のケースと、
この第一のケースと組み合わせられる、透過部を有する第二のケースと、
前記第一及び第二の両ケース間にあって、前記第一のケース側に配置される第一のフレームと、
前記第一及び第二の両ケース間にあって、前記第二のケース側に配置される第二のフレームと、
前記第一のケースに前記透過部と対応させて設けられる第一の表示部と、
前記第二のケースに前記透過部と対応させて設けられる第二の表示部と、
前記第一及び第二の両フレーム間に配置される回路基板と、を備え、
前記第一及び第二の両フレームの一方のフレームは、他方のフレームを挟んで前記第一及び第二の両ケースの一方のケースに対し周辺部で互いに係合して合体されることを特徴とする筐体構造。
【請求項２】
前記第一の表示部は電源を切っても表示を維持する第一の表示装置からなり、第二の表示部は電圧を印加し続けて表示する第二の表示装置からなり、
この第一の表示装置は前記第一のフレーム、第二の表示装置は第二のフレームに接着されることを特徴とする請求項１に記載の筐体構造。
【請求項３】
前記第一の表示装置は、前記第一のフレームまたは第二のフレームと、互いに四隅を共締めして合体される前記第一のケースまたは第二のケースとの間に挟み込まれることを特徴とする請求項２に記載の筐体構造。
【請求項４】
前記第一の表示装置は、前記第一のフレームまたは第二のフレームの内方において、他の部品と干渉しない最大の大きさを有することを特徴とする請求項２または３に記載の筐体構造。
【請求項５】
前記第一及び第二の両フレームの長手方向の端部外側に配置されるアンテナを備えることを特徴とする請求項１から４のいずれか一項に記載の筐体構造。
【請求項６】
請求項１から５のいずれか一項に記載の筐体構造を備えることを特徴とする電子機器。
【発明の詳細な説明】
【技術分野】
【０００１】
本発明は、複数のケースを組み合わせて表示部を実装する筐体構造と、その筐体構造を備える電子機器に関する。
【背景技術】
【０００２】
携帯電話等の電子機器において、複数のケースを組み合わせて表示パネルを実装する筐体構造が特許文献１に開示される。
【特許文献１】特開２００７−３０４３９０号公報
【発明の開示】
【発明が解決しようとする課題】
【０００３】
ところで、特許文献１のように、複数のケースを組み合わせて表示パネルを実装する筐体構造では、ケースに表示用の開口部（透過部）が形成されているため、強度を保つ必要がある。
【０００４】
本発明の課題は、複数のケースを組み合わせて表示部を実装する筐体構造において、強度を保つことである。
【課題を解決するための手段】
【０００５】
以上の課題を解決するため、請求項１に記載の発明は、透過部を有する第一のケースと、この第一のケースと組み合わせられる、透過部を有する第二のケースと、前記第一及び第二の両ケース間にあって、前記第一のケース側に配置される第一のフレームと、前記第一及び第二の両ケース間にあって、前記第二のケース側に配置される第二のフレームと、前記第一のケースに前記透過部と対応させて設けられる第一の表示部と、前記第二のケースに前記透過部と対応させて設けられる第二の表示部と、前記第一及び第二の両フレーム間に配置される回路基板と、を備え、前記第一及び第二の両フレームの一方のフレームは、他方のフレームを挟んで前記第一及び第二の両ケースの一方のケースに対し周辺部で互いに係合して合体される筐体構造を特徴とする。
【０００７】
請求項２に記載の発明は、請求項１に記載の筐体構造であって、前記第一の表示部は電源を切っても表示を維持する第一の表示装置からなり、第二の表示部は電圧を印加し続けて表示する第二の表示装置からなり、
この第一の表示装置は前記第一のフレーム、第二の表示装置は第二のフレームに接着されることを特徴とする。
【０００８】
請求項３に記載の発明は、請求項２に記載の筐体構造であって、前記第一の表示装置は、前記第一のフレームまたは第二のフレームと、互いに四隅を共締めして合体される前記第一のケースまたは第二のケースとの間に挟み込まれることを特徴とする。
【０００９】
請求項４に記載の発明は、請求項２または３に記載の筐体構造であって、前記第一の表示装置は、前記第一のフレームまたは第二のフレームの内方において、他の部品と干渉しない最大の大きさを有することを特徴とする。
【００１０】
請求項５に記載の発明は、請求項１から４のいずれか一項に記載の筐体構造であって、前記第一及び第二の両フレームの長手方向の端部外側に配置されるアンテナを備えることを特徴とする。
【００１１】
請求項６に記載の発明は、請求項１から５のいずれか一項に記載の筐体構造を備える電子機器を特徴とする。
【発明の効果】
【００１２】
本発明によれば、複数の表示部を実装しながらも筐体の強度を保つことができる。
【発明を実施するための最良の形態】
【００１３】
以下、図を参照して本発明を実施するための最良の形態を詳細に説明する。
（実施形態）
図１から図４は本発明を適用した電子機器の一実施形態の構成として携帯電話の折り畳み状態や開いた状態を示したもので、１は表示部筐体、２は操作部筐体、３は２軸ヒンジユニットである。
【００１４】
表示部筐体１は表裏の関係にあるメイン表示部１ａ及びサブ表示部１ｂを有し、操作部筐体２は各種操作キーによる操作部２ａを有しており、これら表示部筐体１及び操作部筐体２は２軸ヒンジユニット３を介して開閉（折り畳み）可能に結合されている。そして、２軸ヒンジユニット３は、表示部筐体１と操作部筐体２を開いた状態において、表示部筐体１を操作部筐体２に対し回転可能となっている。
【００１５】
図５及び図６は折り畳み状態での中央を縦断したもので、４は電話番号、メールなどを表示したり複数種類の図柄を選択的に表示するためのメイン表示部１ａを構成する液晶表示パネル、５は透過パネル、６は待ち受けパターン、着信別に変わるパターンなどを表示するためのサブ表示部１ｂを構成する電子ペーパー、７は透過パネル、８は電池パック、９はアンテナである。
【００１６】
すなわち、表示部筐体１には、メイン表示部１ａには、電圧を印加し続け液晶分子の向きを変え光の透過率を増減させて画像を表示(動的表示)する液晶表示パネル４及び透過パネル５が設けられて、サブ表示部１ｂには、表示を変化させる時にだけ電力を消費し電源を切っても表示を維持(固定表示)する電子ペーパー６及び透過パネル７が設けられている。なお、サブ表示部１ｂの一部を小さな液晶表示部として時刻、日付、アンテナなどの表示を行わせても良い。
また、操作部筐体２には、その長手方向の一半部側の電池パック８と、その端部外側に位置するアンテナ９が設けられている。
【００１７】
図７は折り畳み状態で操作部筐体２を上にして下ケース２１と電池パック８及び電池蓋２２を取り除いた状態を示したものである。
【００１８】
図８は図３の開いた状態で表示部筐体１の前側のケース１２を取り除いて電子ペーパー６を分解した状態を示したもので、２３は操作部筐体２内から２軸ヒンジユニット３内を経て引き出されたＦＰＣである。
【００１９】
そして、図９は表示部筐体１の筐体構造を分解して示したもので、１１は第一のケース、１２は第二のケース、１３は第一のフレーム、１４は第二のフレーム、１５は回路基板である。
【００２０】
すなわち、第一のケース１１は、樹脂製で表示用開口部１１ａを有している。この第一のケース１１の表面に、透明樹脂製の透過パネル５が両面テープで接着されている。この透過パネル５の接着一体化により、表示用開口部１１ａを有する第一のケース１１の強度がアップされるとともに、表示用開口部１１ａが透過パネル５による透過部１１ｂとなる。
【００２１】
第二のケース１２は、樹脂製で表示用開口部１２ａを有している。この第二のケース１２の表面に、透明樹脂製であり第一のケース１１と同色の透過パネル(有色透明パネル)７が二色成形により一体化されており、第一のケース１１との境目は見えなくなっている。この透過パネル７の成形一体化により、表示用開口部１２ａを有する第二のケース１２の強度がアップされるとともに、表示用開口部１２ａが透過パネル７による透過部１２ｂとなる。
【００２２】
第一のフレーム１３は、金属製でその図示下面側に液晶表示パネル４が組み付けられており、図示では、第一のフレーム１３の長手方向の一端側に形成した開口部１３ａに液晶表示パネル４の一端側部分が位置している。
【００２３】
第二のフレーム１４は、樹脂製で底を有しており開口を有するものより強度的に有利になっている。そして、第二のフレーム１４は、その図示上面に電子ペーパー６が両面テープで接着されている。ここで、電子ペーパー６は、第二のフレーム１４の内方において、その第二のフレーム１４が撓んだりすることのない最大限の大きさで設けられている。さらに、この電子ペーパー６は、携帯電話の折り畳み状態において、図５及び図６に示すように、操作部筐体２の端部に配置されたアンテナ９とは干渉しないギリギリの位置まで設けることで、アンテナ９の送受信性能に影響を与えない配置となっている。
【００２４】
そして、第一のフレーム１３の上面の開口部１３ａに隣接する図示中央部に回路基板１５が固定されている。この回路基板１５には、液晶表示パネル４から引き出されたＦＰＣ４１がコネクタ接続されていて、第二のフレーム１４上の電子ペーパー６から引き出されたＦＰＣ６１がコネクタ接続されるとともに、操作部筐体２内から２軸ヒンジユニット３内を経て引き出されたＦＰＣ２３（図８参照）もコネクタ接続される。
【００２５】
また、第一のケース１１の表示用開口部１１ａに隣接する一端側には、スピーカ１６が組み付けられており、このスピーカ１６から引き出された一対のＦＰＣ１７は、回路基板１５にコネクタ接続される。
【００２６】
以上において、第一のケース１１には、内部の四隅にネジ止めボス１１ｃが形成されて、スピーカ１６側の端部で開口部１１ａに隣接する部分に一対の差込溝（不図示）が形成される一方、スピーカ１６と反対側の両側部の内側に係合突起１１ｅが形成されている。また、両側部の外側には一対の係合突起１１ｆが形成されている。
【００２７】
そして、第一のフレーム１３には、一端側の二隅にネジ止め孔１３ｃが形成されて、他端側に外部に突出する一対の差込片１３ｄが形成されている。また、両側部の外側でネジ止め孔１３ｃ側には係合突起１３ｅが形成されている。
【００２８】
また、第二のフレーム１４には、両側部に図示下方突出する一対の係合片１４ｆが形成されている。
【００２９】
表示部筐体１の組立は次のようになされる。
先ず、第一のケース１１に対し第一のフレーム１３を、一対の差込溝に差込片１３ｄを差し込んで、係合突起１１ｅの下に係合突起１３ｅを嵌め込むことで組み付ける。そして、スピーカ１６から引き出された一対のＦＰＣ１７を回路基板１５にコネクタ接続する。
【００３０】
次に、第二のフレーム１４上の電子ペーパー６から引き出されたＦＰＣ６１を回路基板１５にコネクタ接続してから、第一のケース１１に対し第二のフレーム１４を、両側部の外側において一対の係合突起１１ｆに係合片１４ｆを嵌め込むことで組み付ける。この係合片１４ｆによって第二のフレーム１４の曲げ方向の強度が向上している。
【００３１】
次に、第一のケース１１に第二のケース１２を重ねて、四隅のネジ止めボス１１ｃ部において不図示のネジを挿入し、第二のケース１２内の四隅のネジ止めボスにネジを締め込むことで互いに固定する。
【００３２】
その後、第一のケース１１の表面に透過パネル５を両面テープで接着する。
【００３３】
以上、実施形態の筐体構造を備える携帯電話によれば、表示部筐体１において、表裏の関係にある液晶表示パネル４及び電子ペーパー６を実装しながらも、その表示用開口部１１ａ・１２ａを有する第一及び第二のケース１１・１２と第一及び第二のフレーム１３・１４との組み合わせにより強度を保つことができる。
【００３４】
すなわち、表示用開口部１１ａを有する第一のケース１１に対し、表裏に液晶表示パネル４及び回路基板１５を組み付けた金属製の第一のフレーム１３を、差込溝に差込片１３ｄを差し込み、係合突起１１ｅ・１３ｅを嵌め込んで組み付けたので、液晶表示パネル４を挟んだ第一のケース１１及び第一のフレーム１３の合体により強度を保つことができる。
【００３５】
さらに、電子ペーパー６を接着した第二のフレーム１４を、第一のフレーム１３を挟んで第一のケース１１に対し両側部において係合突起１１ｆ及び係合片１４ｆで互いに係合して組み付けたので、第一のフレーム１３との間に回路基板１５を挟んだ第二のフレーム１４と第一のケース１１との合体によっても強度を保つことができる。
【００３６】
そして、表示用開口部１２ａを有する第二のケース１２を、第一及び第二のフレーム１３・１４を挟んで第一のケース１１に対し四隅でネジ止めして合体したことで、第二のフレーム１４との間に電子ペーパー６を挟んだ第二のケース１２と、さらに第一のフレーム１３を挟んだ第一のケース１１との合体によっても強度を保つことができる。
【００３７】
以上の結果、表示部筐体１としての全体的強度を保つことができる。
【００３８】
また、実施形態では、電子ペーパー６は、第二のフレーム１４の内方において最大限の大きさで設けられているので、サブ表示部１ｂでありながら、電子ペーパー６を最大の大きさで使用することができる。
【００３９】
しかも、携帯電話の折り畳み状態において、図５及び図６に示したように、操作部筐体２端部のアンテナ９とは干渉(オーバーラップ)しないギリギリの位置まで電子ペーパー６を設けているので、最大の大きさを有する電子ペーパー６でありながら、アンテナ９の送受信性能に影響を与えることはない。
【００４０】
（変形例）
なお、以上の実施形態においては、携帯電話としたが、本発明はこれに限定されるものではなく、カメラ、ＰＤＡ、ノートパソコン、ウェアラブルパソコン、電卓、電子辞書などの携帯型電子機器を含む電子機器すべてに用いることができる。
また、実施形態では、第二の表示部を電子ペーパーとして、第二のフレームに電子ペーパーを接着したが、第一の表示部を電子ペーパーとして、第一のフレームに電子ペーパーを接着することも可能である。また、第一の表示部、第二の表示部を電子ペーパーとして
、第一のフレーム、第二のフレームに電子ペーパーを接着してもよく、この場合、液晶表示パネルに比べ薄くて曲げに弱い電子ペーパーを第一、第二の表示部の双方に用いているが、第一のフレーム、第二のフレーム、各ケースによって、表示部筐体としての全体的強度が十分に保たれる。
さらに、筐体を構成するケース及びフレームの形状等も任意であり、その他、具体的な細部構造等についても適宜に変更可能であることは勿論である。
【図面の簡単な説明】
【００４１】
【図１】本発明を適用した電子機器の一実施形態の構成を示すもので、携帯電話の折り畳み状態を示した斜視図である。
【図２】図１の折り畳み状態から開いた状態を示した斜視図である。
【図３】図２の開いた状態で表示部筐体を１８０度回転した状態を示した斜視図である。
【図４】図３の開いた状態から折り畳んだ状態を示した斜視図である。
【図５】図１の折り畳み状態での中央を縦断した拡大断面図である。
【図６】図４の折り畳み状態での中央を縦断した拡大断面図である。
【図７】折り畳み状態で操作部筐体を上にして下ケースと電池パック及び電池蓋を取り除いた状態を示した拡大斜視図である。
【図８】図３の開いた状態で表示部筐体の前側のケースを取り除いて電子ペーパーを分解した状態を示した斜視図である。
【図９】表示部筐体の筐体構造を示した分解斜視図である。
【符号の説明】
【００４２】
１  表示部筐体
１ａ  メイン表示部
１ｂ  サブ表示部
２  操作部筐体
３  ２軸ヒンジユニット
４  液晶表示パネル
５  透過パネル
６  電子ペーパー
７  透過パネル
９  アンテナ
１１  第一のケース
１１ａ  開口部
１１ｂ  透過部
１１ｃ  ネジ止めボス
１１ｅ  係合突起
１１ｆ  係合突起
１２  第二のケース
１２ａ  開口部
１２ｂ  透過部
１３  第一のフレーム
１３ｃ  ネジ止め孔
１３ｄ  差込片
１３ｅ  係合突起
１４  第二のフレーム
１４ｆ  係合片
１５  回路基板
【図１】
0004992113.tif 000002
【図２】
0004992113.tif 000003
【図３】
0004992113.tif 000004
【図４】
0004992113.tif 000005
【図５】
0004992113.tif 000006
【図６】
0004992113.tif 000007
【図７】
0004992113.tif 000008
【図８】
0004992113.tif 000009
【図９】
0004992113.tif 000010